(57)【要約】【課題】  木質基材５０の裏面側に線ヒーター５４あるいは面ヒーターが組み込まれている電気式床暖房用のヒーターパネルＡにおいて、歩行感の悪化を招くことなく高い断熱性能と遮音性能とを共に確保し、かつ、コネクター５５、５６の破損や木質基材５０との衝接による騒音の発生を防止して、コンクリートスラブへの直貼り施工を可能とする。【解決手段】  木質基材の裏面側に発熱体として線ヒーターあるいは面ヒーターが組み込まれている電気式床暖房用のヒーターパネルＡにおいて、木質基材５０の裏面に緩衝材として機能する不織布層６１と断熱層として機能する樹脂発泡体層６２の２層からなるバッカー材６０を積層する。また、バッカー材６０に所要の深さでコネクター５５、５６の収容空間Ｐを形成する。コンクリートスラブに直貼りしても、樹脂発泡体層６２が存在することによりコンクリートスラブ側への放熱が抑制され、ヒーター通電時の昇温特性および温度特性が向上する。また、歩行感が悪化することもない。【選択図】  図３
2005120810.tif 000002
【特許請求の範囲】
【請求項１】
木質基材の裏面側に発熱体としての線ヒーターあるいは面ヒーターと該発熱体に電気的に接続したコネクターとが取り付けられている電気式床暖房用のヒーターパネルであって、木質基材の裏面には、少なくとも不織布からなる層と樹脂発泡体からなる層の２層からなるバッカー材が積層されており、かつ、少なくともバッカー材にはコネクター収容空間としての切り欠き部が形成されていて、コネクターは木質基材の裏面に接しない状態で該切り欠き部に収容されていることを特徴とするヒーターパネル。
【請求項２】
上からの同一荷重に対する沈み込み量が、不織布層よりも樹脂発泡体層が小さくなるように発泡樹脂体が調整されていることを特徴とする請求項１に記載のヒーターパネル。
【請求項３】
上からの荷重により木質基材が沈下したときに木質基材の裏面とコネクターとが衝接することがないように沈み込み量が調整された樹脂発泡体を樹脂発泡体層として用いることを特徴とする請求項２に記載のヒーターパネル。
【請求項４】
木質基材の裏面側に発熱体としての線ヒーターあるいは面ヒーターと該発熱体に電気的に接続したコネクターとが取り付けられている電気式床暖房用のヒーターパネルであって、木質基材の裏面には、少なくとも密度の異なる２層の不織布層からなるバッカー材が積層されており、かつ、少なくともバッカー材にはコネクター収容空間としての切り欠き部が形成されていて、コネクターは木質基材の裏面に接しない状態で該切り欠き部に収容されていることを特徴とするヒーターパネル。
【請求項５】
バッカー材は２層構造であり、低密度側の不織布層を木質基材側として木質基材の裏面に積層されていることを特徴とする請求項４に記載のヒーターパネル。
【請求項６】
高密度側の不織布の密度を調整して、上からの荷重により木質基材が沈下したときに木質基材の裏面とコネクターとが衝接することがないように、高密度側の不織布の沈み込み量を調整したバッカー材を用いることを特徴とする請求項５に記載のヒーターパネル。
【請求項７】
低密度側の不織布の密度は１２０ｇ／ｍ３〜２００ｇ／ｍ３であり、高密度側の不織布の密度は３００ｇ／ｍ３以上であることを特徴とする請求項６に記載のヒーターパネル。
【請求項８】
木質基材は裏面側に多数の細溝が形成されていて、それにより木質基材に可撓性が付与されていることを特徴とする請求項１〜７のいずれかに記載のヒーターパネル。
【発明の詳細な説明】
【技術分野】
【０００１】
本発明は発熱体として線ヒーターあるいはＰＴＣヒーターのような面ヒーターを備えたヒーターパネル、特に、コンクリートスラブに直貼りするのに好適なヒーターパネルに関する。
【背景技術】
【０００２】
木質基材の裏面側に線ヒーターや面ヒーターを組み込んだヒーターパネルを用いて、電気式の床暖房構造を施工することは知られている。特許文献１（特開２０００−１７９８７６号公報）、特許文献２（特開２０００−３２０８４５号公報）などには線ヒーターを用いたヒーターパネルが記載されている。図６にバッカー材などを取り除いた状態の背面図を、図７に断面図を示すように、ヒーターパネルＡは、合板などである木質基材１の裏面に一定パターンに凹溝２が形成され、そこに線ヒーター３が埋め込まれると共に、線ヒーター３に電気的に接続する雄コネクター４、雌コネクター５がやはり木質基板１の裏面に形成した切り込み部６内に配置されている。また、サーモスタット７が配置され、安全性を確保している。木質基材１の裏面にはアルミ箔などからなる均熱層８が形成され、かつ、バッカー材９が積層される。バッカー材９には、床暖房を施工する場所の床下地の状態に応じて、合板や木質繊維板などの木質材、不織布、発泡樹脂材料などが用いられている。なお、図６では複数の木質基板１が階段状に組み付けられて一枚のヒーターパネルＡを構成しているが、矩形状に組み付けられる場合もある。さらに、図８に示すように、木質基板１の裏面に凹溝２に沿うようにして細溝２ａを形成し、木質基材１に可撓性を与えて遮音性能を高めることも行われている（特許文献３：特開平８−１６５７９０号公報など参照）。
【０００３】
施工に際しては、図９に一例を示すように、例えば、大引き１０や根太１１を持つ床下地構造の場合には、根太１１、１１間に発泡樹脂のような断熱材１２を入れ、その上に下地合板１３を不陸のないように貼り付ける。その際に、建物壁面２０に取り付けたリレーボックス２１とヒーターパネルＡとを電気的に接続する電源ケーブル２２（あるいは、電源ケーブル用ＣＤ管）を下地合板１３の下に埋め込むことも行われる。この床下地構造の場合には、根太１１間に埋め込んだ断熱材１２が断熱層として効果的に機能するので、ヒーターパネルＡの裏面に積層するバッカー材９は合板や木質繊維板などの木質材でよく、必要な場合には厚さ１０ｍｍ程度の不織布をさらに積層して遮音性能を確保する。均熱層８にバッカー材９としての不織布を直接積層する場合もある。
【０００４】
集合住宅のように床下地がコンクリートスラブの場合には、ヒーターパネルはコンクリートスラブ面に直貼り施工される。この場合には、コンクリートスラブ面の不陸を吸収できかつ階下への遮音性を向上させるために、前記特許文献に記載されるように、クッション性（緩衝性）の高い材料、例えば、より厚手の不織布や、比較的発泡倍率の高い発泡樹脂材料がバッカー材として用いられる。
【０００５】
床パネル同士を電気的に接続するコネクターはある程度（１０ｍｍ程度）の厚みを有する。そのために、下地合板１３の上にヒーターパネルＡを配置する場合も、コンクリートスラブに直貼りする場合も、前記したように、バッカー材９および木質基材１の裏面にそのための切り欠き部６が形成され、その中にコネクター４、５を収容して全体の均平度を確保している。
【０００６】
【特許文献１】特開２０００−１７９８７６号公報
【特許文献２】特開２０００−３２０８４５号公報
【特許文献３】特開平８−１６５７９０号公報
【発明の開示】
【発明が解決しようとする課題】
【０００７】
しかし、従来の直貼り用ヒーターパネルは木質基材裏面の断熱性能が必ずしも十分なものではなかった。そのために、コンクリートスラブ側に熱が奪われやすく、熱効率の低下を招くことがあった。バッカー材の厚さを厚くすることにより断熱性を確保することが考えられるが、本来クッション材（緩衝材）としての機能を期待するバッカー材を厚くすると、歩行者の荷重による沈み込み量が大きくなりすぎ歩行感の悪化を招くので、有効な解決策とはならない。
【０００８】
また、沈み込み量の大きな不織布や樹脂発泡体をバッカー材として用いる場合に、設計値以上の上載荷重がヒーターパネル上面にかかったときに、切り欠き部に収容されているコネクターが木質基材の裏面と衝接してしまい、コネクターが損傷を受けることがある。また、歩行者が上を歩く場合にコネクターと木質基材の裏面とが衝接することが起こると、いわゆる底付きにより歩行感が低下するとともに、衝接音が騒音として発生する。
【０００９】
本発明は、上記のような事情に鑑みてなされたものであり、木質基材の裏面側に線ヒーターあるいは面ヒーターが組み込まれている電気式床暖房用のヒーターパネルにおいて、歩行感の悪化を招くことなく高い断熱性能と遮音性能とを共に確保できると共に、コネクターが木質基材の裏面と衝接してコネクターが損傷することや騒音の発生も効果的に抑制できるように改良されたヒーターパネルを提供することを目的とする。
【課題を解決するための手段】
【００１０】
上記の課題は、本発明によれば、電気式床暖房用のヒーターパネルにおいて、遮音性能を向上させる機能と断熱性を確保する機能とを同一のバッカー材でなく異なったバッカー材により分担して持たせること、および、バッカー材に切り欠き部を形成しそのなかにコネクターを木質基材の裏面に接しないようにして収容すること、により解決される。
【００１１】
すなわち、第１の発明にかかるヒーターパネルは、木質基材の裏面側に発熱体として線ヒーターあるいは面ヒーターと該熱源体に電気的に接続するコネクターとが取り付けられている電気式床暖房用のヒーターパネルであって、木質基材の裏面には、少なくとも不織布からなる層と樹脂発泡体からなる層の２層からなるバッカー材が積層されており、かつ、少なくともバッカー材にはコネクター収容空間としての切り欠き部が形成されていて、コネクターは木質基材の裏面に接しない状態で該切り欠き部に収容されていることを特徴とする。このヒーターパネルにおいて、バッカー材の不織布からなる層は主に遮音性能を向上させる機能を果たし、樹脂発泡体からなる層は主に断熱性を確保する機能果たす。
【００１２】
バッカー材をこのような複数の層構成とすることにより、遮音性能と断熱性能の双方を同時に満足できるヒーターパネルを得ることができるので、この構成のヒーターパネルをコンクリートスラブ面に直貼り施工した場合に、高い遮音性能を維持しながら、コンクリートスラブ側からの放熱を最小限に抑えることが可能となり、ヒーター通電時の昇温特性および温度特性を向上させることができる。結果として、直貼り電気式床暖房において、高い熱効率を得ることができる。さらに、コネクターはバッカー材に形成された切り欠き部内に木質基材の裏面に接しない状態で収容されており、バッカー材の沈み込み量を適宜調整することにより、底付きによるコネクターの破損や歩行感の低下を抑制することができる。バッカー材の高さだけでは十分な高さのコネクター収容用空間が得られない場合には、バッカー材に形成したコネクター収容空間に対向するようにして木質基材の裏面にもコネクター収容用の切り欠き部を形成する。
【００１３】
上記のヒーターパネルにおいて、好ましくは、上からの同一荷重に対する沈み込み量が不織布層よりも樹脂発泡体層が小さくなるように樹脂発泡体は調整される。より好ましくは、通常の状態で床面を歩行する者により生じる上からの荷重（一例として、７０ｋｇの人間が歩行するときに作用する荷重）では、沈み込み量がほぼ０であるように密度あるいは発泡倍率が調整された樹脂発泡体を樹脂発泡体層として用いる。これにより、柔軟性のある不織布層によって十分な遮音性能を確保しながら、沈み込み量が大きすぎて歩行感が悪化する現象を完全に回避することができる。また、通常の使用状態において、コネクターが木質基材の裏面に衝接するのを回避することができるので、コネクターの破損や、底付きによる歩行感の悪化も確実に阻止することができる。
【００１４】
好ましくは、不織布層にはポリエステル繊維製の不織布を用いる。樹脂発泡体層の樹脂種に特に限定はないがコストの面や環境面からＰＥＴ，ＰＳなどが好ましい。厚みは、用いるコネクターの厚みにもよるが、通常の場合、上からの荷重のない状態で、不織布層は２〜５ｍｍ程度、樹脂発泡体層は２〜５ｍｍ程度、バッカー材全体では５〜１０ｍｍ程度である。バッカー材の層構造は、木質基材側が不織布層、床下地側が樹脂発泡体層の２層構造でもよく、不織布層の両面を樹脂発泡体層で挟持した３層構造であってもよい。各層間の接合は、ウレタン系樹脂のような接着剤で行うことができる。
【００１５】
第２の発明にかかるヒーターパネルは、木質基材の裏面側に発熱体としての線ヒーターあるいは面ヒーターと該発熱体に電気的に接続したコネクターとが取り付けられている電気式床暖房用のヒーターパネルであって、木質基材の裏面には、少なくとも密度の異なる２層の不織布層からなるバッカー材が積層されており、かつ、少なくともバッカー材にはコネクター収容空間としての切り欠き部が形成されていて、コネクターは木質基材の裏面に接しない状態で該切り欠き部に収容されていることを特徴とする。
【００１６】
不織布の場合、遮音性能と緩衝性能はその密度が小さくなるにつれて良好となり、一方、断熱性能は密度が大きくなるにつれて向上する。従って、密度の低い不織布層とそれと比較して密度の高い不織布層とを重ね合わせた層構成のバッカー材を用いることにより、前記第１の発明にかかるヒーターパネルと同様に、遮音性能と断熱性能の双方を同時に満足できるヒーターパネルを得ることができる。そのヒーターパネルとしての作用効果も、第１の発明にかかるヒーターパネルと同様である。
【００１７】
バッカー材を２層構造とし、低密度側の不織布層を木質基材側として木質基材の裏面に積層することにより、遮音性の高いヒーターパネルを得ることができる。さらに、同一荷重に対する沈み込み量は、高密度の不織布が低密度の不織布よりも小さいので、双方の、特に高密度側の不織布の密度を調整して、上からの荷重によって主に低密度側の不織布が沈み込み、結果として、木質基材が沈下したときにも、木質基材の裏面とコネクターとが衝接することがないように、高密度側の不織布の密度（沈み込み量）を調整したバッカー材を用いることは好ましい。それにより、第１のヒーターパネルと同様に、底付きによるコネクターの破損や歩行感の低下を抑制することができる。この場合にも、例えば、通常の状態で床面を歩行する者により生じる上からの荷重（一例として、７０ｋｇの人間が歩行するときに作用する荷重）では、沈み込み量がほぼ０であるように高密度側の不織布の密度を設定すればよい。
【００１８】
好ましくは、低密度側および高密度側の不織布層の双方に、ポリエステル繊維製の不織布を用いる。そして、低密度側の不織布の密度を１２０ｇ／ｍ３〜２００ｇ／ｍ３程度の範囲とし、高密度側の不織布の密度は３００ｇ／ｍ３以上とすることにより、通常のヒーターパネル直貼り床暖房環境において、所望の効果を得ることができる。厚みは、用いるコネクターの厚みにもよるが、通常の場合、上からの荷重のない状態で、低密度側の不織布層は２〜４ｍｍ程度、高密度側の不織布層は３〜５ｍｍ程度、バッカー材全体では５〜１０ｍｍ程度である。
【００１９】
前記のように、木質基材の裏面側に多数の細溝を形成し、それにより木質基材に可撓性を付与することは既に知られているが、本発明のヒーターパネルにおいても、その技術を採用することにより、遮音性能をさらに向上させることができる。
【発明の効果】
【００２０】
本発明による電気式床暖房用のヒーターパネルを用いることにより、ヒーターパネルをコンクリートスラブ面に直貼り施工する場合であっても、歩行感の悪化を招くことなく高い断熱性能と遮音性能とを共に確保でき、さらに、コネクターが木質基材の裏面と衝接してコネクターが損傷するや騒音の発生するのも効果的に抑制した床暖房構造を構築することができる。
【発明を実施するための最良の形態】
【００２１】
以下、本発明にかかる電気式床暖房用のヒーターパネルの好ましい実施の形態を図面を参照しながら説明する。図１は第１の発明にかかるヒーターパネルの一実施の形態における図２のＩ−Ｉ線での断面図であり、図２は平面図である。図３はヒーターパネルのコネクター部分を示す側面図であり、図３ａは上載荷重のない状態を、図３ｂは上載荷重がかかった状態を示している。図４ａ、図４ｂは他の実施の形態を示す要部の断面図であり共に、図２のＩ−Ｉ線での断面方向で示している。図５は第２の発明にかかるヒーターパネルの一実施の形態における図１に相当する断面図である。
【００２２】
図１、図２に示すヒーターパネルＡは、周囲に雄実加工５１と雌実加工５２が施された長尺状の木質基材５０が長手方向に位置をずらしながら階段状に組み付けられて、１つのピースとされており、３００ｍｍ×９００ｍｍ程度の大きさのものである。各木質基材５０は合板が用いられ、厚みは１５〜２０ｍｍ程度である。各木質基材５０の裏面には、図６に示したものと同様、凹溝５３が連続するように形成されていて、その中に線ヒーター５４が埋め込まれている。線ヒーター５４は、コネクターに５５、５６に電気的に接続しており、該コネクター５５、５６は厚さが１０ｍｍ程度のものであり、ヒーターパネルＡの長手方向の両側面近傍に進退できるようにして取り付けられる。このコネクターにより隣接するヒーターパネルＡとの電気的接続が可能となる。図示しないが、木質基材５０の裏面にはアルミ箔のような均熱材が取り付けられることもある。なお、上記の構造は、図６に示すような従来の電気式床暖房用のヒーターパネルと同様であってよい。
【００２３】
上記のヒーターパネルＡは、バッカー材６０は、不織布層６１と樹脂発泡体層６２との２層構成とされており、不織布層６１が木質基材５０の裏面側に面して積層されている点で従来のヒーターパネルと構成を異にしている。図１に示す例で、バッカー材６０の総厚みは７．０ｍｍ、不織布層６１の厚みは３．５ｍｍ、樹脂発泡体層６２の厚みは３．５ｍｍである。不織布層６１はポリエチレン繊維製の不織布で形成され、樹脂発泡体層６２はＰＥＴの発泡体である。
【００２４】
図３ａにヒーターパネルＡのコネクター５６部分の側面図を示すように、バッカー材６０のコネクター５６が位置することとなる部分には、コネクター収容空間Ｐの一部としての切り欠き部６４が形成されており、木質基材５０裏面の該切り欠き部６４に対向する位置にもやはりコネクター収容空間Ｐの一部としての切り欠き部５８が形成されている。図２に示すように、もう一つのコネクター５５が位置することとなるバッカー材部分にも、コネクター収容空間Ｐの一部を構成する切り欠き部６３が形成され、木質基材５０裏面の該切り欠き部６３に対向する位置にもコネクター収容空間Ｐの一部を構成する切り欠き部５７が形成されている。
【００２５】
木質基材５０の裏面に形成される切り欠き部５８、５７の深さは５〜８ｍｍ程度であってよい。また、前記のように、上からの荷重のない状態（図３ａの状態）で、バッカー材６０の総厚みは７．０ｍｍであり、従って、バッカー材６０に形成した切り欠き部６４、６３の深さは７．０ｍｍである。従って、コネクター収容空間Ｐの深さは、この例では１２〜１５ｍｍである。一方、コネクター５６、５５の厚みは８ｍｍであり、図３ａに示すように、ヒーターパネルＡをコンクリートスラブＣような平坦面に置いた状態で、コネクターの上面と木質基材５０の裏面に形成した切り欠き部の天面とは２〜５ｍｍ程度の隙間Ｓが形成される。
【００２６】
上記２層構成のバッカー材６０では、不織布層６１は樹脂発泡体層６２と比較して柔らかく、上からの同一荷重に対する沈み込み量は、不織布層６１よりも樹脂発泡体層６２が小さい。そのために、緩衝性能および遮音性能は主に柔らかい不織布層６１により担保され、樹脂発泡体層６２はもっぱら断熱材としての機能を果たす。樹脂発泡体層６２の発泡倍率を適宜選択することにより、例えば体重７０ｋｇの人間が暖房床上を歩行するときの沈み込み量を樹脂発泡体層６２ではほぼ０とすることもできる。一方、不織布層６１は緩衝性能および遮音性能を満足する厚さであればよく、歩行感が低下するような厚さの厚いものとする必要はない。
【００２７】
図３ｂは、歩行者がヒーターパネルＡを歩くときのように、適宜の上載荷重がヒーターパネルＡの上にかかった状態を模式的に示している。前記のように樹脂発泡体層６２の沈み込み量はほぼ０であり、緩衝性を担保するためにより柔らかい不織布層６１が所定量だけ沈み込み、例えば、厚さが３．５ｍｍから２．０ｍｍに変化する。その場合、バッカー材６０の総厚みは５．５ｍｍに減少して、コネクター収容空間Ｐの深さも１０．５〜１３．５ｍｍとなるが、この例において、コネクター５５、５６の厚みは１０ｍｍであり、依然として、コネクターの上面と木質基材５０の裏面に形成した切り欠き部の天面とは０．５〜３．５ｍｍ程度の隙間Ｓ１が残っている。そのために、コネクターが木質基材の裏面に衝接するのは効果的に回避され、上からの圧力によりコネクターが破損することや、底付きにより歩行感が悪化するようなことは、確実に回避できる。
【００２８】
上記のような層構成を持つバッカー材６０を備えたヒーターパネルＡは、それ自体で高い断熱性能を備えており、コンクリートスラブ面に直貼り施工した場合にも、コンクリートスラブ側からの放熱を最小限に抑えることが可能となり、同時に、高い遮音性能も確保することができる。そのために、従来困難とされていたコンクリートスラブへの直貼り施工による電気式暖房構造の構築がきわめて容易となる。さらに、上記した構成のコネクター収容空間Ｐを持つことにより、上からの圧力によりコネクターが破損することや、コネクターが木質基材の裏面に衝接して騒音を発生したり、底付きにより歩行感が悪化することも効果的に回避できる。
【００２９】
不織布層６１と樹脂発泡体層６２のそれぞれの物性値（例えば、厚さ、柔らかさ、沈み込み量など）をどのような値のものとするかは、直貼り床暖房施工現場に求められる断熱性や遮音性、さらにはコネクターの厚さなどを考慮して、経験的にあるいは計算により最適値を求めるようにする。バッカー材６０の厚さのみで、上載荷重がかかって沈み込んだときにコネクターと木質基材の裏面との衝接を回避できるだけの高さが確保できる場合には、木質基材５０の裏面に切り欠き部５７、５８を形成するのを省略することもできる。
【００３０】
図４ａは他の形態のヒーターパネルＡを示している。ここでは、木質基材５０の裏面に、凹溝５３に沿うようにして多数の切り込み細溝５９を形成している。このような細溝５９を形成して木質基材５０に可撓性を与えることにより、直貼り電気式有暖房フロアの遮音性能をさらに高めることができる。また、図４ａの形態では、不織布層６１の厚みが樹脂発泡体層６２の厚みよりも大きくなっているが、この厚みの違いも、施工現場で求められる遮音性能と断熱性能、および必要とされるコネクター収容空間の深さなどを勘案して適宜設定されるものである。
【００３１】
図４ｂに示す形態では、樹脂発泡体層６２ａと不織布層６１と樹脂発泡体層６２の３層構造とになっている点で、図１に示したものと相違している。断熱層としての樹脂発泡体層６２ａを木質基材５０の直裏面に積層することにより、コンクリート床面からの放熱をさらに効果的に抑制することができ、ヒーター通電時の昇温特性および温度特性はさらに向上する。
【００３２】
なお、図４ａ，図４ｂに示す形態のヒーターパネルＡでも、図３に示したようにコネクター収容空間が同様にして形成される。また、図示の例ではすべて線ヒーターを用いるヒーターパネルを例として示したが、線ヒーターに代えてＰＴＣヒーターのような面ヒーターを持つヒーターパネルであっても、本発明によるバッカー材構造を等しく適用できることは説明を要しない。
【００３３】
図５ａに示すヒーターパネルＡ１は、バッカー材６０Ａが、低密度の上不織布層６１と、比較して高密度の下不織布層６１Ａとの２層構成とされている点で、上記したヒーターパネルＡと相違している。他の構成はヒーターパネルＡと同様であり、同じ部材には同じ符号を付すことにより、説明は省略する。このヒーターパネルＡ１では、制限されるものではないが、バッカー材６０Ａの総厚みは７．０ｍｍ、上不織布層６１の厚みは３．０ｍｍ、下不織布層６１Ａの厚みは４．０ｍｍである。上不織布層６１と下不織布層６１Ａは共にポリエステル樹脂繊維の不織布であり、この例において、上不織布層６１の不織布の密度は約１８０ｇ／ｍ２、下不織布層６１Ａの不織布の密度は約３５０ｇ／ｍ２である。
【００３４】
このヒーターパネルＡ１でも、バッカー材６０Ａにおいて、上不織布層６１は下不織布層６１Ａと比較して柔らかく、上からの同一荷重に対する沈み込み量は、上不織布層６１よりも下不織布層６１Ａが小さい。そのために、上記したヒーターパネルＡと同様、緩衝性能および遮音性能は主に柔らかい不織布層６１より担保される。下不織布層６１Ａは密度が高いことから断熱性に優れており、断熱材としての機能を果たすことができる。さらに、前記したように、下不織布層６１Ａの密度を適宜選択することにより、例えば体重７０ｋｇの人間が暖房床上を歩行するときの沈み込み量を下不織布層６１Ａではほぼ０とすることもできる。
【００３５】
図５ｂは、歩行者がヒーターパネルＡ１を歩くときのように、適宜の上載荷重がヒーターパネルＡ１の上にかかった状態を模式的に示している。この場合も、上記したヒーターパネルＡと同様、下不織布層６１Ａの沈み込み量はほぼ０であり、緩衝性を担保するためにより柔らかい上不織布層６１が所定量だけ沈み込み、例えば、厚さが３．０ｍｍから１．５ｍｍに変化するが、下不織布層６１Ａには実質的に沈み込みが生じないために、コネクターが木質基材の裏面に衝接するのは効果的に回避される。それにより、上からの圧力によりコネクターが破損することや、底付きにより歩行感が悪化するようなことは回避される。
【００３６】
上不織布層６１と下不織布層６１Ａのそれぞれの物性値（例えば、厚さ、密度（柔らかさ）、沈み込み量など）をどのような値のものとするかは、ヒーターパネルＡの場合と同様、直貼り床暖房施工現場に求められる断熱性や遮音性、さらにはコネクターの厚さなどを考慮して、経験的にあるいは計算により最適値を求めるようにすればよい。さらに、バッカー材６０の厚さのみで、上載荷重がかかって沈み込んだときにコネクターと木質基材の裏面との衝接を回避できるだけの高さが確保できる場合には、木質基材５０の裏面に切り欠き部５７、５８を形成するのを省略することもできることも同様である。
【図面の簡単な説明】
【００３７】
【図１】本発明によるヒーターパネルの一実施の形態を示す図２でのＩ−Ｉ線に沿う断面図。
【図２】本発明によるヒーターパネルの一実施の形態を示す平面図。
【図３】本発明によるヒーターパネルのコネクター部分を示す側面図であり、図３ａは上載荷重のない状態を、図３ｂは上載荷重がかかった状態を示す。
【図４】本発明によるヒーターパネルの他の実施の形態を示す要部の断面図。
【図５】本発明によるヒーターパネルのさらに他の実施の形態を示す要部の断面図。
【図６】線ヒーターを用いたヒーターパネルの一例を示す背面図。
【図７】従来のヒーターパネルを下地合板の上に貼り付けた状態を断面で示す図。
【図８】従来のヒーターパネルの他の例を示す要部の断面図。
【図９】下地合板の上にヒーターパネルを貼り付けて電気式床暖房とする一例を示す図。
【符号の説明】
【００３８】
Ａ、Ａ１…ヒーターパネル、Ｃ…コンクリートスラブ、Ｐ…コネクター収容空間、Ｓ，Ｓ１…コネクターと木質基材裏面との間の隙間、５０…木質基材、５３…凹溝、５４…線ヒーター、５５、５６…コネクター、５７、５８…木質材裏面に形成した切り欠き部（コネクター収容空間Ｐの一部を構成する）、６０…バッカー材、６１…不織布層（上不織布層）、６１Ａ…下不織布層、６２、６２ａ…樹脂発泡体層、６３、６４…バッカー材に形成した切り欠き部（コネクター収容空間Ｐの一部を構成する）
【図１】
2005120810.tif 000003
【図２】
2005120810.tif 000004
【図３】
2005120810.tif 000005
【図４】
2005120810.tif 000006
【図５】
2005120810.tif 000007
【図６】
2005120810.tif 000008
【図７】
2005120810.tif 000009
【図８】
2005120810.tif 000010
【図９】
2005120810.tif 000011